【事件の表示】
　平成　７年特許願第１５０５５３号「画像入力装置」拒絶査定不服審判事件〔平成　９年　１月１０日出願公開、特開平　９−　　８９７４〕について、次のとおり審決する。
【結　論】
　本件審判の請求は、成り立たない。
【理　由】
第１　手続きの経緯
　本願は、平成７年６月１６日の出願であって、平成１６年１１月２６日に拒絶査定がされ、これに対して同年１２月２８日に拒絶査定不服審判が請求されるとともに、平成１７年１月２６日に手続き補正がなされたものである。
　
第２　平成１７年１月２６日付けの手続補正の却下について
　１　補正却下の決定の結論
　平成１７年１月２６日付けの手続補正を却下する。
　
　２　理由
　（１）　補正後の本願発明
　本件補正後の本願の発明は、平成１７年１月２６日付けで補正された特許請求の範囲の請求項１ないし３に記載されたものと認められるところ、その請求項１に記載された発明（以下、「本願補正発明」という。）は、次のとおりのものである。
　「【請求項１】　第１タイプのフィルムを保持可能な第１のフィルム保持手段と、
　上記第１タイプのフィルムとは画像サイズが異なる第２タイプのフィルムを保持可能な第２のフィルム保持手段と、
　上記第１のフィルム保持手段と上記第２のフィルム保持手段のうち選択された一方を、画像入力装置に対し着脱自在に装着する装着手段と、
　上記装着手段に装着された何れか一方の上記フィルム保持手段が保持するフィルムの画像を読み取り、デジタル信号に変換する画像読取手段と、
　上記装着手段に装着されたフィルム保持手段が保持するフィルムの画像サイズに応じて、上記画像読取手段の読み取り範囲を上記フィルム画面上の両端位置に対応した範囲に変更する画像読取範囲変更手段と、
　を具備することを特徴とする画像入力装置。」
　
　本件補正は、平成１６年６月３日手続補正書により補正された特許請求の範囲の請求項１に記載した発明を特定するために必要な事項である「画像読取範囲変更手段」の読み取り範囲を「上記フィルム画面上の両端位置に対応した範囲に」と限定する補正であり、特許法１７条の２第４項２号の特許請求の範囲の減縮を目的とするものに該当する。
　そこで、本件補正後の特許請求の範囲の請求項に記載された発明が特許出願の際独立して特許を受けることができるものであるか（特許法１７条の２第５項において準用する同法１２６条５項の規定に適合するか）について以下に検討する。
　
　（２）　引用例
　原査定の拒絶の理由で引用された特開平５−２８２４２１号公報（以下、「引用例」という。）には次の事項が図面と共に開示されている。（引用箇所は段落番号で表示）
　ア　「【０００２】
【従来の技術】フィルムスキャナは、写真フィルム（以下「フィルム」という）から原画像（以下「フィルム画像」という）を光学的に読み取って画像信号として出力する装置であり、読み取ったフィルム画像に対して、トリミング（画像の一部の抽出）、拡大、又は縮小などの画像編集が可能なように構成されている。
【０００３】一般に、このようなフィルムスキャナはカラープリンタと組み合わせて用いられ、フィルムスキャナから出力される画像信号に基づいて、フィルム画像に対応したハードコピー画像が形成される。
【０００４】さて、フィルムスキャナのフィルム画像読み取り位置には、読み取ろうとするフィルムが順次セットされることになるが、そのセット位置は正確なものではなく、セット毎に若干の位置ズレが発生する。
【０００５】したがって、フィルム画像の画像領域のサイズと同一サイズの領域を読み取ったのでは、フィルムの位置ズレによってフィルム画像の周囲の非画像領域をも読み取ってしまい、それが画像ノイズとなってしまうので、従来においては、フィルムの位置ズレを考慮して画像領域のサイズよりも若干小さいサイズの領域を読み取っていた。」
　
　イ　「【００１４】【実施例】図２は本発明に係るフィルムスキャナ１の概観を示す正面図、図３はフィルムスキャナ１の本体１１に設けられたトロッコ２２の正面図、図４は種々のフィルムキャリアＦＣの正面図、図５は操作パネルＯＰの正面図、図６は内部パネルＩＰの正面図、図７は画面ＨＧの表示例を示す図である。
【００１５】フィルムスキャナ１は、フィルム画像を読み取るための光学系及び画像データを処理するための制御部などを内部に配した本体１１と、読み取った画像を画面ＨＧ上に表示するディスプレイ装置１２とからなる。本体１１の上面には操作パネルＯＰが設けられている。
【００１６】本体１１には、その上部に設けられたフィルム装着部２１に、トロッコ２２が左右に移動可能に配置されており、そのトロッコ２２内にフィルムＦを装着したフィルムキャリアＦＣが挿入されている。
【００１７】図３に示すように、トロッコ２２には、フィルムキャリアＦＣの有無を検出するためのキャリア検出センサー５１、フィルムキャリアＦＣの種類を検出するための種類検出センサー５２（５２ａ〜５２ｄ）が設けられている。また、本体１１には、トロッコ２２に設けられた穴を透過してフィルムキャリアＦＣの位置を検出するための位置検出センサー５３が設けられている。これらのセンサーは、例えば透過型のフォトセンサーが用いられる。
【００１８】フィルムキャリアＦＣには、図４（ａ）〜（ｄ）に示すように、４×５インチサイズのフィルムＦ１のためのフィルムキャリアＦＣ１、６×４．５センチサイズのフィルムＦ２のためのフィルムキャリアＦＣ２、３５ミリサイズの連続フィルムＦ３のためのフィルムキャリアＦＣ３、及び３５ミリサイズのマウントフィルムＦ４のためのフィルムキャリアＦＣ４の４種類、及び、６センチサイズのフィルムに対しては図４（ｂ）に示すフィルムキャリアＦＣ２の他に、図４（ｅ）〜（ｇ）に示すように、６×６、６×７、６×９のそれぞれのサイズのフィルムＦ５〜７のためのフィルムキャリアＦＣ５〜７が３種類、合計で７種類が使用される。
【００１９】これらのフィルムキャリアＦＣには、それぞれの種類を検出するための種類検出穴５５（５５ａ〜５５ｄ）及び各フィルムＦの位置決めのための位置検出穴５６などが設けられている。」
　
　ウ　「【００２９】図示は省略したが、本体１１に内蔵された光学系は、ハロゲンランプを有したランプユニット、副走査方向に移動してスキャンを行う複数のミラー、固定ミラー、結像レンズ、光学フィルター、及び、フィルム画像をＲ，Ｇ，Ｂの３色に色分解して読み取るためのＣＣＤアレイからなる１次元のイメージセンサーＩＳなどから構成されている。」
　
　エ　「【００３７】画像入力部２２１は、Ｒ，Ｇ，Ｂの各色毎の画像信号に対する増幅変換部３０１、位置補正部３０２、ルックアップテーブル３０３、ガンマ補正部３０４を有している。
【００３８】増幅変換部３０１は、ＤＡ変換器３２３から出力される電圧信号によって増幅率が設定されるビデオアンプ３２１、量子化を行って画像データに変換するＡＤ変換器３２２、ＡＤ変換器３２２にリファレンス電圧を与えるＤＡ変換器３２５、ＤＡ変換器３２５に対してシェーディング補正用のデータを画素クロックに同期して出力する補正用メモリ３２４を有している。」
　
　オ　「【００６４】本実施例のフィルムスキャナ１において、イメージセンサーＩＳによって読み取られたフィルム画像は、フィルムの種類に関係なく、縦（主走査方向）４０９６ドット、横（副走査方向）６１４４ドットの画素を有しており、その縦横比は１対１．５である。これに対して、定型用紙の縦横比は１対１．４１であるので、フィルム画像のうちの横方向の中央部の５７７６ドット分に対応する部分のみがプリントされ、両端部の横方向のそれぞれ１８４ドット分は削除される。
【００６５】プリントアウト時における倍率Ｍは、読み取られたフィルム画像の画素に対して電気的変倍を行うことなく、つまりフィルム画像の１画素をプリンタの１ドットに対応させてプリントアウトしたときを等倍としている。したがって、例えば４００ｄｐｉのプリンタによってフィルム画像を等倍でプリントアウトすると、２６０×３６８ｍｍの画像となる。
【００６６】なお、フィルムＦの種類に応じて、すなわちフィルムＦのサイズに応じて光学系の倍率は可変される。すなわち、本実施例のフィルムスキャナ１において、結像レンズは、セットされたフィルムＦのサイズに応じて移動するが、その際に、そのフィルム画像の画像領域の寸法よりも上下左右に１ｍｍずつ大きい領域を読み取るように位置決めされる。例えば、３５ミリサイズのフィルムＦ３では、その画像領域の寸法が２４×３６ｍｍであるが、縦横各２ｍｍ大きい２６×３８ｍｍの領域を読み取るように結像レンズが位置決めされ、２６×３８ｍｍの領域の画像がフィルム画像として入力される。したがって、読み取ったフィルム画像には、画像領域の画像の他に、非画像領域の画像ノイズが含まれることとなる。」
　
　これらイないしオの記載によると、引用例には、
「３５ミリサイズの連続フィルムＦ３のためのフィルムキャリアＦＣ３と、４×５インチサイズのフィルムＦ１のためのフィルムキャリアＦＣ１と、フィルムＦを装着したフィルムキャリアＦＣが挿入されるためにフィルム装着部２１に配置されたトロッコ２２と、１次元のイメージセンサーＩＳ、及び量子化を行って画像データに変換するＡＤ変換器３２２と、フィルムＦのサイズに応じて、そのフィルム画像の画像領域の寸法よりも上下左右に１ｍｍずつ大きい領域を読み取るように、倍率が可変される光学系とを具備するフィルムスキャナ。」の発明（以下、「引用発明」という。）が記載されていると認められる。
　
　（３）　対比
　本願補正発明と引用発明とを対比する。
　引用発明の「フィルムスキャナ」は、フィルムに記録された画像を入力するためのものであるから、本願補正発明と同じ「画像入力装置」に関するものといえる。
　引用発明の「３５ミリサイズの連続フィルムＦ３のためのフィルムキャリアＦＣ３」、「４×５インチサイズのフィルムＦ１のためのフィルムキャリアＦＣ１」、「フィルムＦを装着したフィルムキャリアＦＣが挿入されるためにフィルム装着部２１に配置されたトロッコ２２」、及び「１次元のイメージセンサーＩＳ、及び量子化を行って画像データに変換するＡＤ変換器３２２」は、本願補正発明の「第１タイプのフィルムを保持可能な第１のフィルム保持手段」、「第１タイプのフィルムとは画像サイズが異なる第２タイプのフィルムを保持可能な第２のフィルム保持手段」、「第１のフィルム保持手段と第２のフィルム保持手段のうち選択された一方を、画像入力装置に対し着脱自在に装着する装着手段」、及び「装着手段に装着された何れか一方のフィルム保持手段が保持するフィルムの画像を読み取り、デジタル信号に変換する画像読取手段」にそれぞれ相当する。
　また、引用発明において、トロッコに装着されたフィルムキャリアＦＣに保持されたフィルムＦに対してフィルム画像の読み取りが行われること、及び、フィルムＦのサイズとフィルム画像の画像領域のサイズ、すなわちフィルムの画像サイズとが対応したものであることは、いずれも当業者にとって明らかな事項であるから、引用発明の「フィルムＦのサイズに応じて、そのフィルム画像の画像領域の寸法よりも上下左右に１ｍｍずつ大きい領域を読み取るように、倍率が可変される光学系」は、本願補正発明の「装着手段に装着されたフィルム保持手段が保持するフィルムの画像サイズに応じて、画像読取手段の読み取り範囲を」「変更する画像読取範囲変更手段」に相当するといえる。
　
　以上を踏まえると、両者の一致点及び相違点は以下のとおりである。
【一致点】
　第１タイプのフィルムを保持可能な第１のフィルム保持手段と、
　上記第１タイプのフィルムとは画像サイズが異なる第２タイプのフィルムを保持可能な第２のフィルム保持手段と、
　上記第１のフィルム保持手段と上記第２のフィルム保持手段のうち選択された一方を、画像入力装置に対し着脱自在に装着する装着手段と、
　上記装着手段に装着された何れか一方の上記フィルム保持手段が保持するフィルムの画像を読み取り、デジタル信号に変換する画像読取手段と、
　上記装着手段に装着されたフィルム保持手段が保持するフィルムの画像サイズに応じて、上記画像読取手段の読み取り範囲を変更する画像読取範囲変更手段と、
　を具備することを特徴とする画像入力装置。
　
【相違点】
　本願補正発明は、画像読取範囲変更手段において、画像読取手段の読み取り範囲を「フィルム画面上の両端位置に対応した範囲に変更する」のに対して、引用発明は、「そのフィルム画像の画像領域の寸法よりも上下左右に１ｍｍずつ大きい領域を読み取るように」変更している点。
　
　（４）　当審の判断
　引用発明の「フィルム画像」と本願補正発明の「フィルム画面」とは表現の差異であり、どちらもフィルム上に記録された画像を意味すること、及び、フィルム画像の画像領域のサイズが「フィルム画面上の両端位置に対応した範囲」により定められることは、いずれも、当業者にとって明らかな事項である。
　引用例の前掲アの段落【０００５】に記載されたとおり、引用発明が属するフィルムスキャナに関する技術分野において、フィルム画像の画像領域のサイズと同一サイズの領域を読み取ること、すなわち、フィルム画面上の両端位置に対応した範囲を読み取ることは課題として公知技術であるから、引用発明に前記公知技術を適用し、画像読取範囲変更手段において画像読取手段の読み取り範囲をフィルム画面上の両端位置に対応した範囲に変更すること、すなわち、具体的なフィルム画面上の両端位置を規定する手段を特定したものでない本願補正発明は、当業者が容易に想到し得たものと認められる。
　そして、本願補正発明の奏する効果は、引用例に記載された発明から想定できる程度のものにすぎず、格別なものとは認められない。
　したがって、本願補正発明は、引用例に記載された発明に基づいて、当業者が容易に発明をすることができたものであるから、特許法２９条２項の規定により特許出願の際独立して特許を受けることができないものである。
　
　なお、フィルム画面を欠損なく、かつ、非画像領域を含まずに読み取るための、読み取り範囲をフィルム画面上の両端位置に対応した範囲とする具体的な構成は、例えば、特開平７−９５３６３号公報に、「【０００３】【従来の技術】従来、この種の画像読み取り装置として例えば原稿画像の反射光を結像させた像や原稿フィルムの透過光を結像させた像を、線状に配列された複数の受光素子を有するＣＣＤ等のラインセンサーで読み取る画像読み取り装置が知られている。この画像読み取り装置はそのラインセンサーのライン方向には各画素に相当する受光素子の検出データを順次電気的に走査して出力し、また短手方向には原稿画像とラインセンサーとの間で機械的走査系により機械的に走査移動することで、２次元的な画像情報を得るように構成されている。
【０００４】このような画像読み取り装置の出力側に接続された外部データ処理装置では、読み取るべき画像領域の一端から他端までの全領域の画像データを過不足なく出力するように指定されている場合に、その画像領域端部の位置と上記の機械的走査系の走査移動位置との対応関係をそのデータ処理装置の制御系が把握するようになっている。
【０００５】さらに、読み取るべき画像領域の位置精度が特に求められる場合は、正規の画像読み取り動作の前に予備動作として原稿端の位置を検出するための検出動作を行う画像読み取り装置が提供されている。この装置は例えば、機械的走査系の駆動源にステッピングモータを使用している場合において、一度走査系の移動によって画像を走査する途中で、画像域内と画像域外とで特徴的な画像データの差を抽出したときに、原稿端であると判別し、このときのステッピングモータのホームポジションからの累積駆動パルス数をメモリに記憶しておき、次回の正規の画像読み取り走査に際して、ステッピングモータの駆動パルスの累積値が上記累積駆動パルス数に到達した時点で画像データの出力を開始したり、または画像データの出力を終了するように制御している。
【０００６】特に、原稿がスライドマウントに装填されたフィルムである場合には、スライドマウントの外形寸法やアパーチャ部の開口寸法にバラツキが多いため、スライドマウントを外側から支持する方法で原稿（フィルム）をセットすると、読み取るべき実画部分に対する走査位置精度を確保することが難しい。このため、正規の画像読み取り動作の前に予備動作として上記のような原稿端の位置を検出するための検出動作が行われていた。」と記載されているように慣用技術である。
　
　（５）　むすび
　以上のとおり、本件補正は、特許法１７条の２第５項で準用する同法１２６条５項の規定に違反するものであり、特許法１５９条１項で準用する同法５３条１項の規定により却下されるべきものである。
　
第３　本願発明について
　１　平成１７年１月２６日付の手続補正は上記のとおり却下されたので、本願の請求項１に係る発明（以下、「本願発明」という。）は、平成１６年６月３日付けで補正された特許請求の範囲の請求項１に記載された以下のとおりのものである。
　「【請求項１】　第１タイプのフィルムを保持可能な第１のフィルム保持手段と、
　上記第１タイプのフィルムとは画像サイズが異なる第２タイプのフィルムを保持可能な第２のフィルム保持手段と、
　上記第１のフィルム保持手段と上記第２のフィルム保持手段のうち選択された一方を、画像入力装置に対し着脱自在に装着する装着手段と、
　上記装着手段に装着された何れか一方の上記フィルム保持手段が保持するフィルムの画像を読み取り、デジタル信号に変換する画像読取手段と、
　上記装着手段に装着されたフィルム保持手段が保持するフィルムの画像サイズに応じて、上記画像読取手段の読み取り範囲を変更する画像読取範囲変更手段と、
　を具備することを特徴とする画像入力装置。」
　
　２　引用例
　原査定の拒絶の理由に引用された引用例、及びその記載事項は、前記「第２　２（２）」に記載したとおりである。
　
　３　対比・判断
　本願発明は、前記第２で検討した本願補正発明から「画像読取範囲変更手段」の読み取り範囲を「上記フィルム画面上の両端位置に対応した範囲に」とした限定を省いたものである。
　そうすると、本願発明の構成要件をすべて含み、更に他の構成要件を付加したものに相当する本願補正発明が、前記「第２　２」で判断したとおり、引用例に記載された発明に基づいて、当業者が容易に発明をすることができたものであるから、本願発明も、同様の理由により、引用例に記載された発明に基づいて、当業者が容易に発明をすることができたものである。
　
　４　むすび
　以上のとおり、本願発明は、引用例に記載された発明に基づいて、当業者が容易に発明をすることができたものであるから、特許法２９条２項の規定により特許を受けることができない。
　したがって、本願は、他の請求項について検討するまでもなく拒絶すべきものである。
　よって、結論のとおり審決する。